(57)【特許請求の範囲】
【請求項１】
２つのシリンダを有し２シリンダ運転と１シリンダ運転の切換が可能な圧縮機の吐出冷媒を室内熱交換器、減圧器、室外熱交換器に通して圧縮機に戻す暖房流路の形成が可能なヒートポンプ式冷凍サイクルと、
室内空気を前記室内熱交換器に通して循環させる室内ファンと、
室内温度および室外温度に基づく暖房用予熱条件の成立時、前記室内ファンを極低速度運転するとともに、前記圧縮機を始めは２シリンダ運転かつ低能力より高い能力で運転しその後に１シリンダ運転かつ低能力で運転して、前記暖房流路を形成しながら前記室内熱交換器を温める予熱運転を実行する制御手段と、
を備えることを特徴とする空気調和機。
【請求項２】
前記予熱運転に続き、前記圧縮機の能力を増大し、かつ前記熱交換器温度センサの検知温度が設定値に達するまで前記室内ファンを低速度運転または停止し、同検知温度が設定値を超えたところで前記室内ファンの速度を急増して暖房運転に移行する制御手段、
をさらに備えることを特徴とする請求項１記載の空気調和機。
【請求項３】
前記予熱運転を実行する制御手段は、室内温度および室外温度がそれぞれ所定値以下のとき、または予め定められた暖房開始時間までの残り時間が所定時間内のとき、暖房用予熱条件が成立したとの判断の下に、前記室内ファンを極低速度運転するとともに、前記圧縮機を始めは２シリンダ運転かつ低能力より高い能力で運転しその後に１シリンダ運転かつ低能力で運転して、前記暖房流路を形成しながら前記室内熱交換器の検知温度を一定範囲に維持する予熱運転を実行する、ことを特徴とする請求項１または請求項２記載の空気調和機。
【請求項４】
前記暖房開始時間を一日のうち少なくとも２回分設定する機能を有するリモートコントロール式の操作器、をさらに備えることを特徴とする請求項３記載の空気調和機。
【発明の詳細な説明】
【技術分野】
【０００１】
この発明は、暖房用の予熱を行う空気調和機に関する。
【背景技術】
【０００２】
冷房および暖房が可能なヒートポンプ式冷凍サイクルを備えた空気調和機では、暖房の使用期、冷媒および室内熱交換器が冷えているため、暖房の立ち上がりが遅いという問題がある。
【０００３】
そこで、タイマーで予め設定された暖房開始時間の前に圧縮機を起動し、これにより室内熱交換器を温める予熱運転を行い、暖房の立ち上がりを速めるようにした空気調和機が知られている（例えば特許文献１）。
【先行技術文献】
【特許文献】
【０００４】
【特許文献１】特開２００１−２０８３９３号公報
【発明の概要】
【発明が解決しようとする課題】
【０００５】
予熱運転が行われる低外気温時は、圧縮機内部の潤滑油への冷媒溶解度（希釈度）が増加した状態にあり、特に低回転数での起動を行うと圧縮機摺動部への油膜が確保できず、最悪の場合は圧縮機内でメタル接触が起こり、圧縮機にロックや損傷を生じてしまう。
【０００６】
この発明は、上記事情を考慮したもので、その目的は、予熱運転時の圧縮機のロックや損傷を解消することができる信頼性にすぐれた空気調和機を提供することである。
【課題を解決するための手段】
【０００７】
請求項１に係る発明の空気調和機は、２つのシリンダを有し２シリンダ運転と１シリンダ運転の切換が可能な圧縮機の吐出冷媒を室内熱交換器、減圧器、室外熱交換器に通して圧縮機に戻す暖房流路の形成が可能なヒートポンプ式冷凍サイクルと、室内空気を前記室内熱交換器に通して循環させる室内ファンと、室内温度および室外温度に基づく暖房用予熱条件の成立時、前記室内ファンを極低速度運転するとともに、前記圧縮機を始めは２シリンダ運転かつ低能力より高い能力で運転しその後に１シリンダ運転かつ低能力で運転して、前記暖房流路を形成しながら前記室内熱交換器を温める予熱運転を実行する制御手段と、を備える。
【発明の効果】
【０００８】
この発明の空気調和機によれば、予熱運転時の圧縮機のロックや損傷を解消することができ、信頼性が向上する。
【図面の簡単な説明】
【０００９】
【図１】この発明の一実施形態における室内機の外観斜視図。
【図２】一実施形態における室内機の内部の構成を断面して示す図。
【図３】一実施形態におけるヒートポンプ式冷凍サイクルの構成および圧縮機の２シリンダ運転を示す図。
【図４】一実施形態における圧縮機の１シリンダ運転を示す図。
【図５】一実施形態における室内機の制御回路を示すブロック図。
【図６】一実施形態におけるリモコンを示す図。
【図７】一実施形態における室外機の制御回路を示すブロック図。
【図８】一実施形態の動作を説明するためのフローチャート。
【図９】一実施形態における予熱運転域を示す図。
【図１０】一実施形態における予熱運転時の圧縮機の運転オン，オフおよび電子膨張弁の開度変化を示す図。
【発明を実施するための形態】
【００１０】
以下、この発明の一実施形態について、図面を参照しながら説明する。図１に室内機の外観を示し、図２に室内機の内部を断面して示す。  
１は室内機で、前面が側面視で湾曲成され外郭を構成する前面パネル１Ａと、内部に収納される部品を配置する後本体１Ｂとから構成される。前面パネル１Ａの上面には上面吸込口２が設けられ、前面パネル１Ａの前面には下部を残して前面吸込口３が設けられ、前面パネル１Ａの前面下部には吹出口４が開口される。上面吸込口２にはグリル５が嵌め込まれていて、上面吸込口２は常時開放状態にある。前面パネル１Ａの前面部は、ここでは図示しない上端部のヒンジ部を介して後本体前面上端に回動自在に開閉支持される。したがって、前面パネル１Ａの下端部は後本体に対して開閉可能である。
【００１１】
上記前面パネル１Ａの前面に設けられる前面吸込口３は、パネル開閉機構Ｋを介して取付けられる可動パネル６によって開閉される。すなわち、可動パネル６は、パネル開閉機構Ｋの作動に基づく前方への突出により開いて室内空気の吸込み流路を形成し、その吸込み流路を突出位置からの復帰により閉塞する。また、可動パネル６は、後述の表示ユニット２０と対応する部位に透過表示部６ａを有する。この透過表示部６ａは、表示ユニット２０と共に表示手段を構成するもので、光を通す部材で形成されており、表示ユニット２０の表示を室内機１の前方側に透過表示する。
【００１２】
室内機１の内部には、前側熱交換器部９Ａと後側熱交換器部９Ｂとを略逆Ｖ字状に屈曲してなる室内熱交換器９が配置される。前側熱交換器部９Ａは、前面パネル１Ａおよび可動パネル６と対応する位置に湾曲状に形成される。後側熱交換器部９Ｂは、上面吸込口２と対応する位置に傾斜して設けられる。
【００１３】
前側熱交換器部９Ａの前面側には、電気集塵機１０が取付けられる。この電気集塵機１０は、本来の集塵動作に加え、オゾン発生装置としても動作する。室内熱交換器９と前面吸込口３および上面吸込口２との間に亘りフィルタ１１が介在される。前面パネル１Ａを可動パネル６ごと開放すれば、フィルタ１１を室内機１に対し容易に挿脱できる。なお、図示していないが、フィルタ１１に付着した塵埃を自動的に清掃する清掃ユニットが設けられている。
【００１４】
室内熱交換器９の前後側室内熱交換器９Ａ，９Ｂの相互間に、かつ上記吹出口７と対向する位置に、室内ファン１２が設けられる。この室内ファン１２は、いわゆる横流ファンで、室内熱交換器９の幅方向寸法と略同一の軸方向寸法を有し、室内熱交換器９を通して室内空気を循環させる。前側熱交換器部９Ａの下端部は前ドレンパン１３ａ上に載り、後側熱交換器部９Ｂの下端部は後ドレンパン１３ｂ上に載って、それぞれの熱交換器から滴下するドレン水を受け、外部に排水できる。前後ドレンパン１３ａ，１３ｂの一部側壁外面は室内ファン１２に近接した位置に設けられ、室内ファン１２に対するノーズｎを構成する。このノーズｎを構成する前後ドレンパン１３ａ，１３ｂの側壁部分と、吹出口４の各辺部との間は、隔壁部材１４によって連結される。この隔壁部材１４で囲まれる空間が、ノーズｎと吹出口４とを連通する吹出通風路１５となる。この吹出通風路１５の終端部に開口する上記吹出口４には、上下ルーバ７Ａと左右ルーバ７Ｂが設けられる。ここでは１枚の上下ルーバ７Ａ上に、互いに作動機構を介して連結される複数枚の左右ルーバ７Ｂが支持される。上下ルーバ７Ａおよび左右ルーバ７Ｂとも、それぞれ図示しない駆動機構と駆動源を介して機械的に連結される。
【００１５】
このような構成の室内機１および室外機（図示しない）に、図３に示すヒートポンプ式冷凍サイクルが搭載される。４０は２シリンダ型の圧縮機で、２つのシリンダ４１，４２を有する。暖房時、この圧縮機４０から吐出される冷媒が四方弁４３を通って上記室内熱交換器９に流れ、その室内熱交換器９を経た冷媒が電子膨張弁（パルスモータバルブ；ＰＭＶ）４４を介して室外熱交換器４５に流れる。室外熱交換器４５を経た冷媒は、四方弁４３およびアキュームレータ４７を介してシリンダ４１に吸込まれるとともに、アキュームレータ４７を経た冷媒の一部が切換弁４８およびバッファタンク４９を介してシリンダ４２に吸込まれる。すなわち、暖房流路が形成される。なお、室外熱交換器４５の近傍に室外ファン４６が設けられている。
【００１６】
冷房時は、四方弁４３が反転作動することにより、破線矢印で示すように、圧縮機４０から吐出される冷媒が四方弁４３を通って室外熱交換器４５に流れ、その室外熱交換器４５を経た冷媒が電子膨張弁４４を介して室内熱交換器９に流れる。室内熱交換器９を経た冷媒は、四方弁４３およびアキュームレータ４７を介してシリンダ４１に吸込まれるとともに、アキュームレータ４７を経た冷媒の一部が切換弁４８およびバッファタンク４９を介してシリンダ４２に吸込まれる。すなわち、冷房流路が形成される。
【００１７】
切換弁４８は、圧縮機４０の２シリンダ運転に際して図示のようにアキュームレータ４７とバッファタンク４９とを結ぶ冷媒流路を形成し、圧縮機４０のシリンダ４２が空転状態となる１シリンダ運転に際しては、図４に示すように、アキュームレータ４７とバッファタンク４９とを結ぶ冷媒流路を遮断しつつ、圧縮機４０の吐出冷媒の一部がシリンダ４２に戻る冷媒流路を形成する。
【００１８】
一方、室内熱交換器９の一側部は室内機１の側面板と間隙を存して配置され、この間隙に電気部品箱１６が配置される。この電気部品箱１６に、図５に示す室内基板５０、送受光基板７０、および表示基板８０が収容される。
【００１９】
室内基板５０は、商用交流電源ＡＣに接続され、その商用交流電源ＡＣの交流電圧を電源スイッチ５１を介して電源回路５２に取込むとともに、商用交流電源ＡＣの交流電圧をパワーリレー５３を介して室外機の室外基板２００に送出する。電源回路５２は、取込まれた交流電圧を降圧および整流し、それを当該室内基板５０、送受光基板７０、および表示基板８０の動作用電圧として出力する。
【００２０】
そして、室内基板５０に、室内制御部（ＭＣＵ）６０、駆動回路６１，６２，６３，６４，６５、およびシリアル回路６６が搭載される。室内制御部６０は、シリアル回路６６を介した室外基板２００とのデータ送受信により、室外基板２００上の後述する室外制御部２０３と共に、当該空気調和機の全体を制御する。駆動回路６１は、上記上下ルーバ７Ａ、左右ルーバ７Ｂ、および可動パネル６を駆動する。駆動回路６２は、上記電気集塵機１０およびフィルタ１１を駆動する。駆動回路６３は、送受光基板７０上の送受光ユニット７１を駆動する。駆動回路６４は、表示基板８０上の表示ユニット２０を駆動する。駆動回路６５は、上記室内ファン１２のファンモータ１２Ｍを可変速駆動する。
【００２１】
また、室内制御部６０に、センサ群６７、パネル検知器６８、およびフィルタ検知器６９が接続されている。センサ群６７は、室内温度ＴＡを検知する室内温度センサ、室内熱交換器９の温度ＴＣを検知する熱交換器温度センサ、室内熱交換器９から流出する冷媒の温度ＴＣＪを検知する冷媒温度センサ、室内湿度を検知する室内湿度センサなどを含む。パネル検知器６８は、可動パネル６の開閉を検知する。フィルタ検知器６９は、フィルタ１１の挿脱を検知する。
【００２２】
上記送受光ユニット７１は、リモートコントロール式の操作器（リモコンという）１００から発せられる操作用の赤外線光を受光するとともに、リモコン１００に対するデータ送信用の赤外線光を発する。
【００２３】
リモコン１００は、図６に示すように、液晶表示部１０１、温度調節釦１０２、自動釦１０３、冷房釦１０４、停止釦１０５、除湿釦１０６、暖房釦１０７、気流釦１０８、および開閉カバー（図示しない）の内側の操作面１１０を有する。この操作面１１０には、運転停止までの時間を設定するための切タイマー釦１１１、情報案内用の“おしえて”釦１１２、上下風向・左右風向を切換えるための風向釦１１３、電気集塵機１０の運転を設定するための空気清浄釦１１４、吹出風量を設定するための風量釦１１５、上下ルーバ７Ａの揺動を設定するためのスイング釦１１６、一日のうち例えば朝のみ、夜のみ、朝と夜などの暖房用の予熱運転モードを設定するための予熱釦１１７、運転停止の予約時間（時刻）を設定するためのタイマー切り釦１１８、運転開始の予約時間（時刻）を設定するためのタイマー入り釦１１９、これら予約時間（時刻）を確定するための予約釦１２０、メニュー釦１２１、および取消釦１２２が設けられている。
【００２４】
タイマー入り釦１１９による運転開始の予約時間（時刻）については、冷房、除湿、送風、暖房のそれぞれの運転について、設定することができる。また、予熱釦１１７による予熱運転時間の設定は、予熱釦１１７により、朝のみ、夜のみ、朝と夜などの運転モードを設置し、メニュー釦１２１により、その時間を設定することができる。
【００２５】
一方、図７に示すように、室外機の室外基板２００に、電源回路２０１、室外制御部（ＭＣＵ）２０３、駆動回路２０４，２０５、インバータ２０６、駆動回路２０７，２０８が搭載されている。電源回路２０１は、室内基板５０から供給される交流電圧を当該室外基板２００の動作用電圧に変換して出力する。駆動回路２０４は、上記電子膨張弁４４を駆動する。駆動回路２０５は、上記切換弁４８を駆動する。インバータ２０６は、上記圧縮機４０の圧縮機モータ４０Ｍに対する駆動電圧の出力周波数（運転周波数ともいう）Ｆを室外制御部２０３からの指令に応じて制御することにより、圧縮機４０を可変速駆動(能力可変運転)する。駆動回路２０７は、上記四方弁４３を駆動する。駆動回路２０８は、上記室外ファン４６のファンモータ４６Ｍを可変速駆動する。
【００２６】
また、室外制御部２０３に、センサ群２０９が接続されている。センサ群２０９は、圧縮機４０から吐出される冷媒の温度を検知する吐出冷媒温度センサ、圧縮機４０に吸込まれる冷媒の温度を検知する吸込冷媒温度センサ、室外熱交換器４５の温度を検知する熱交換器温度センサ、室外温度ＴＯを検知する外気温センサなどを含む。
【００２７】
そして、室内制御部６０および室外制御部２０３は、暖房用の予熱運転に関する主要な機能として、次の（１）〜（５）の手段を有する。
【００２８】
（１）センサ群６７の室内温度センサで検知される室内温度ＴＡおよびセンサ群２０９の外気温センサで検知される室外温度ＴＯに基づく暖房用予熱条件の成立時、圧縮機４０を低能力運転（運転シリンダ数を減少）してヒートポンプ式冷凍サイクルの暖房流路を形成しながら、室内熱交換器９を温める予熱運転を実行する制御手段。
【００２９】
（２）予熱運転時、圧縮機４０を、初めは低能力より高い能力で運転し、その後、低能力で運転する制御手段。
【００３０】
（３）予熱運転時、室内ファン１２を極低速度運転し、図１に太矢印で示すように、吹出口４から上面吸込口２に至る最短経路で吹出し風が循環するショートサーキットを形成する制御手段。
【００３１】
（４）予熱運転時、その旨を表示ユニット２０の表示により報知する制御手段。
【００３２】
（５）予熱運転中にリモコン１００の操作による暖房開始の指示を受けたとき、あるいはリモコン１００の設定による暖房開始時間になったとき、圧縮機４０の能力を増大し、かつ熱交換器温度センサの検知温度ＴＣが設定値ＴＣｘに達するまで室内ファン１２を低速度運転または停止し、同検知温度ＴＣが設定値ＴＣｘを超えたところで室内ファン１２の速度を急増して暖房運転に移行する制御手段。
【００３３】
つぎに、図８のフローチャートを参照しながら、動作について説明する。  
室内温度センサで検知される室内温度ＴＡが例えば１５℃以下、および外気温センサで検知される室外温度ＴＯが例えば１０℃以下となり、図９に示す予熱運転域に入ると、暖房用予熱条件が成立したとの判断の下に（ステップ３０１のＹＥＳ）、圧縮機４０の運転および室外ファン４６の運転が開始されるとともに四方弁４３が反転されてヒートポンプ式冷凍サイクルの暖房流路が形成されて、室内熱交換器９を温める暖房用の予熱運転が開始される（ステップ３０２）。
【００３４】
この予熱運転時、室内ファン１２が極低速度運転され、図１に示すように、吹出口４から上面吸込口２に至る最短経路で吹出し風を循環させるためのショートサーキットが形成される。
【００３５】
また、予熱運転中は“予熱中”の文字が表示ユニット２０で表示され、その表示が可動パネル６の透過表示部６ａを透過する（ステップ３０３）。室内のユーザーは、透過表示部６ａの透過表示を見ることにより、予熱運転が実行されていることを知ることができる。そして、熱運転の開始に伴い、タイムカウントｔ１が開始される（ステップ３０４）。
【００３６】
リモコン１００の操作による暖房開始の指示がなく、しかもリモコン１００の設定操作による暖房開始時間に達していないとき（ステップ３０５のＮＯ）、タイムカウントｔ１と設定時間ｔ１ｘとが比較される（ステップ３１５のＹＥＳ）。タイムカウントｔ１が設定時間ｔ１ｘ未満であれば（ステップ３１５のＮＯ）、圧縮機４０の運転周波数Ｆが低能力用の運転周波数Ｆ１より高い運転周波数Ｆ２（＞Ｆ１）に設定される（ステップ３０７）。その後、タイムカウントｔ１が設定時間ｔ１ｘに達すると（ステップ３１５のＹＥＳ）、圧縮機４０の運転周波数Ｆが低能力用の運転周波数Ｆ１に低減される（ステップ３０８）。
【００３７】
予熱運転が行われる低外気温時は、圧縮機４０内の潤滑油への冷媒溶解度（希釈度）が増加した状態にあり、特に低回転数での起動を行うと圧縮機４０の摺動部への油膜が確保できず、最悪の場合は圧縮機４０内でメタル接触が起こり、圧縮機４０にロックや損傷を生じる可能性がある。
【００３８】
このような不具合を防ぐため、圧縮機４０の起動直後の冷媒溶解度（希釈度）が高い状態では、上記のように運転周波数Ｆ２を設定して圧縮機４０を低能力より高い能力で運転することにより、圧縮機４０の摺動部への油膜を確保することができ、これにより圧縮機４０のロックや損傷を未然に防ぐことができる。そして、タイムカウントｔ１が設定時間ｔ１ｘに達し、冷媒溶解度（希釈度）が高まる安定状態に入ると、運転周波数Ｆ１（＜Ｆ２）を設定して圧縮機４０を低能力で運転することにより、消費電力の低減が図れて、省エネルギー効果を得ることができる。
【００３９】
なお、予熱運転中は、図１０に示すように、圧縮機４０の運転がオン，オフ（断続）され、かつそのオン，オフに伴って電子膨張弁４４の開度が制御されることにより、室内熱交換器９の温度（熱交換器温度センサの検知温度）ＴＣが予め定められた一定範囲に維持される。電子膨張弁４４の開度制御に際しては、予熱開始時に先ず初期開度（駆動パルス数；６０pls）が設定され、続いて、室内熱交換器９から流出する冷媒の温度ＴＣＪ（冷媒温度センサの検知温度）と上記熱交換器温度ＴＣとの差である過熱度（スーパーヒート量）ＳＨが一定値となるよう、開度が増減される。
【００４０】
こうして予熱運転が実行されているとき、リモコン１００の操作による暖房開始の指示が発せられると、またはリモコン１００の設定操作による暖房開始時間に達すると（ステップ３０５のＹＥＳＮＯ）、圧縮機４０の運転周波数Ｆ（運転能力）が増大され（ステップ３０９）、かつ室内ファン１２が低速度運転または停止される（ステップ３１０）。同時に、表示ユニット２０での“予熱中”表示が解除されるとともに（ステップ３１１）、タイムカウントｔ１がクリアされる（ステップ３１２）。
【００４１】
このとき、室内熱交換器９の温度ＴＣが設定値ＴＣｘ以下であれば（ステップ３１３のＹＥＳ）、室内ファン１２の低速度運転が継続される（ステップ３１４）。
【００４２】
その後、室内熱交換器９の温度ＴＣが上昇して設定値ＴＣｘを超えたところで（ステップ３１３のＮＯ）、室内ファン１２の速度が急激に増大され、暖房運転に移行する（ステップ３１５）。
【００４３】
こうして、室内熱交換器９の温度ＴＣが十分に上昇した状態で室内ファン１２の速度が急激に増大されることにより、暖房用として十分に高い温度の多量の温風が室内に吹出され、立ち上がりの早い快適暖房が実施される。以後、空調負荷（室内温度ＴＡと目標値との差）に応じて圧縮機４０の運転周波数Ｆ（運転能力）が制御されるとともに、室内ファン１２の速度がリモコン操作に応じて調節される。
【００４４】
暖房運転中、リモコン操作による暖房停止の指示が発せられると（ステップ３１６のＹＥＳ）、圧縮機４０、室外ファン４６、および室内ファン１２の運転が停止されるとともに、四方弁４３が復帰されて、暖房運転が停止される（ステップ３１７）。
【００４５】
予熱運転中に上記暖房用予熱条件が成立しなくなった場合は（ステップ３０１のＮＯ）、その時点で予熱運転が禁止される（ステップ３１８）。この場合も、表示ユニット２０での“予熱中”表示が解除される（ステップ３１９）。
【００４６】
以上のように、暖房用予熱条件が成立すると、圧縮機４０を低能力運転しつつヒートポンプ式冷凍サイクルの暖房流路を形成して室内熱交換器９の温度ＴＣを一定範囲に維持する予熱運転を実行し、その後、暖房開始の指示を受けると、圧縮機４０の能力を増大し、かつ熱交換器温度センサの検知温度ＴＣが設定値ＴＣｘに達するまで室内ファン１２を低速度運転し、同検知温度ＴＣが設定値ＴＣｘを超えたところで室内ファン１２の速度を急増して暖房運転に移行することにより、急速かつ高風量の暖房が可能となる。
【００４７】
しかも、予熱運転中は、室内機１の吹出口４から上面吸込口２に至る最短経路で吹出し風が循環するショートサーキットを形成するので、温熱が室内機１の周りに徐々に輻射される。この輻射により、暖房効率の向上が図れる。
【００４８】
とくに、圧縮機４０の起動直後の冷媒溶解度（希釈度）が高い状態では、圧縮機４０を低能力より高い能力で運転することにより、圧縮機４０の摺動部への油膜を確保することができ、これにより圧縮機４０のロックや損傷を未然に防ぐことができる。起動から設定時間ｔ１ｘが経過して、冷媒溶解度（希釈度）が高まる安定状態に入ると、圧縮機４０を低能力で運転することにより、消費電力の低減が図れて、省エネルギー効果が得られる。
【００４９】
なお、上記実施形態では、室内温度ＴＡが１０℃以下でかつ室外温度ＴＯが１５℃以下の場合に暖房用予熱条件が成立していると判断したが、リモコン１００の設定操作により暖房開始時間が定められている場合には、その暖房開始時間までの残り時間が所定時間内に入ったときにも、暖房用予熱条件が成立していると判断する制御を加えてもよい。
【００５０】
暖房開始時間までの残り時間が所定時間内に入ったときに暖房用予熱条件が成立していると判断して予熱運転に入ることにより、できるだけ最小限の時間で暖房に必要な予熱を完了することができる。無駄な予熱がなくなり、この点でも消費電力の低減が図れる。
【００５１】
また、上記実施形態では、予熱運転時、初めは運転周波数Ｆ２を設定して圧縮機４０を低能力より高い能力で運転し、その後、運転周波数Ｆ１（＜Ｆ２）を設定して圧縮機４０を低能力運転したが、それに加えて、圧縮機４０を初めは２シリンダ運転し、その後、１シリンダ運転してもよい。初めの２シリンダ運転により、低温状態にある圧縮機４０の温度が素早く上昇して冷媒溶解度（希釈度）が低下し、圧縮機４０の摺動部への油膜を確実に確保することができる。
【００５２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００５３】
１…室内機、２…上面吸込口、３…前面吸込口、４…吹出口、６…可動パネル、６ａ…透過表示部、９…室内熱交換器、１２…室内ファン、２０…表示ユニット、４０…圧縮機、４１，４２…シリンダ、４５…室外熱交換器、４６…室外ファン、４８…切換弁、６０…室内制御部、６５…駆動回路、１００…リモコン、２０３…室外制御部、２０６…インバータ
【図１】
0005448656.tif 000002
【図２】
0005448656.tif 000003
【図３】
0005448656.tif 000004
【図４】
0005448656.tif 000005
【図５】
0005448656.tif 000006
【図６】
0005448656.tif 000007
【図７】
0005448656.tif 000008
【図８】
0005448656.tif 000009
【図９】
0005448656.tif 000010
【図１０】
0005448656.tif 000011